(57)【要約】      （修正有）【課題】出力画像の画質を向上させることができる磁気共鳴イメージング装置を提供する。【解決手段】磁気共鳴イメージング装置は、プリスキャン部と、本スキャン部と、補正部と、生成部とを備える。プリスキャン部は、コイルの感度分布を収集するプリスキャンを実行する。本スキャン部は、磁気共鳴画像の信号を収集する本スキャンを実行する。補正部は、前記本スキャンの実行により磁気共鳴画像に含まれる歪みに基づいて、前記感度分布を補正する。生成部は、前記補正後の感度分布を用いて、出力磁気共鳴画像を生成する。【選択図】図１
2014236987.tif 000002
【特許請求の範囲】
【請求項１】
コイルの感度分布を収集するプリスキャンを実行するプリスキャン部と、
磁気共鳴画像の信号を収集する本スキャンを実行する本スキャン部と、
前記本スキャンの実行により磁気共鳴画像に含まれる歪みに基づいて、前記感度分布を補正する補正部と、
前記補正後の感度分布を用いて、出力磁気共鳴画像を生成する生成部と
を備える、磁気共鳴イメージング装置。
【請求項２】
前記歪みは、ｋ空間において位相エンコーディング方向に沿って生じる歪みが前記磁気共鳴画像に現れた歪みである、請求項１に記載の磁気共鳴イメージング装置。
【請求項３】
前記補正部は、前記磁気共鳴画像に含まれる歪みの方向に基づいて前記感度分布を拡張又は縮小する方向を求め、前記感度分布を補正する、請求項１又は２に記載の磁気共鳴イメージング装置。
【請求項４】
前記補正部は、前記感度分布を複製により拡張又は縮小することで、当該感度分布を補正する、請求項１〜３のいずれか一つに記載の磁気共鳴イメージング装置。
【請求項５】
前記補正部は、前記複製として、前記感度分布において被検体に対応する境界線の内側の点を位相エンコーディング方向に複製する、請求項４に記載の磁気共鳴イメージング装置。
【請求項６】
前記プリスキャン部は、前記プリスキャンとして、複数のコイルのそれぞれの感度分布を収集し、
前記本スキャン部は、前記本スキャンとして、パラレルイメージングを実行し、
前記生成部は、前記パラレルイメージングで得られた前記信号に対して第１のアンフォールディング処理を施すことで、中間磁気共鳴画像を生成し、生成した中間磁気共鳴画像を用いて、マスク又は重み付け情報を生成し、前記プリスキャンで得られた各コイルの感度分布と、前記パラレルイメージングで得られた前記信号と、前記マスク又は前記重み付け情報とを用いて、第２のアンフォールディング処理を施すことで、前記出力磁気共鳴画像を生成する、請求項１〜５のいずれか一つに記載の磁気共鳴イメージング装置。
【請求項７】
前記本スキャン部は、前記本スキャンとして、ＥＰＩ（Echo  Planar  Imaging）を実行する、請求項１〜６のいずれか一つに記載の磁気共鳴イメージング装置。
【請求項８】
複数のコイルのそれぞれの感度分布を収集するプリスキャンを実行するプリスキャン部と、
磁気共鳴画像の信号を収集する本スキャンとして、パラレルイメージングを実行する本スキャン部と、
前記パラレルイメージングで得られた前記信号に対して第１のアンフォールディング処理を施すことで、中間磁気共鳴画像を生成し、生成した中間磁気共鳴画像を用いて、マスク又は重み付け情報を生成するマスク生成部と、
前記プリスキャンで得られた各コイルの感度分布と、前記パラレルイメージングで得られた前記信号と、前記マスク又は前記重み付け情報とを用いて、第２のアンフォールディング処理を施すことで、出力磁気共鳴画像を生成する生成部と
を備える、磁気共鳴イメージング装置。
【発明の詳細な説明】
【技術分野】
【０００１】
本発明の実施形態は、磁気共鳴イメージング装置に関する。
【背景技術】
【０００２】
磁気共鳴イメージングは、静磁場中に置かれた被検体の原子核スピンを、そのラーモア（Larmor）周波数のＲＦ（Radio  Frequency）パルスで磁気的に励起し、励起に伴い発生する磁気共鳴信号のデータから画像を生成する撮像法である。磁気共鳴イメージングにおいて、高速に撮像するための技術や画質を向上させるための技術が種々提案されている。
【先行技術文献】
【特許文献】
【０００３】
【特許文献１】米国特許第６５５９６４２号明細書
【特許文献２】米国特許第６８３６１１６号明細書
【特許文献３】米国特許第６９４９９２８号明細書
【特許文献４】米国特許第６４８６６７１号明細書
【非特許文献】
【０００４】
【非特許文献１】Ｋ．Ｐ．Ｐｒｕｅｓｓｍａｎｎ他著、「ＳＥＮＳＥ：高速ＭＲＩのための感度エンコーディング法（Ｓｅｎｓｉｔｉｖｉｔｙ  Ｅｎｃｏｄｉｎｇ  ｆｏｒ  Ｆａｓｔ  ＭＲＩ）」、磁気共鳴医学会（Ｍａｇｎｅｔｉｃ  Ｒｅｓｏｎａｎｃｅ  ｉｎ  Ｍｅｄｉｃｉｎｅ）、４２巻、９５２〜９６２ページ、１９９９年
【非特許文献２】Ｄ．Ｘｕ他著、「狭い撮像視野におけるエコープラナーイメージングのためのロバスト２Ｄ位相補正（Ｒｏｂｕｓｔ  ２Ｄ  Ｐｈａｓｅ  Ｃｏｒｒｅｃｔｉｏｎ  ｆｏｒ  Ｅｃｈｏ−Ｐｌａｎａｒ  Ｉｍａｇｉｎｇ  Ｕｎｄｅｒ  ａ  Ｔｉｇｈｔ  Ｆｉｅｌｄ  ｏｆ  Ｖｉｅｗ）」、磁気共鳴医学会（Ｍａｇｎｅｔｉｃ  Ｒｅｓｏｎａｎｃｅ  ｉｎ  Ｍｅｄｉｃｉｎｅ）、６４巻（６版）、１８００〜１８１３ページ、２０１０年１２月
【発明の概要】
【発明が解決しようとする課題】
【０００５】
本発明が解決しようとする課題は、出力画像の画質を向上させることができる磁気共鳴イメージング装置を提供することである。
【課題を解決するための手段】
【０００６】
実施形態に係る磁気共鳴イメージング装置は、プリスキャン部と、本スキャン部と、補正部と、生成部とを備える。プリスキャン部は、コイルの感度分布を収集するプリスキャンを実行する。本スキャン部は、磁気共鳴画像の信号を収集する本スキャンを実行する。補正部は、前記本スキャンの実行により磁気共鳴画像に含まれる歪みに基づいて、前記感度分布を補正する。生成部は、前記補正後の感度分布を用いて、出力磁気共鳴画像を生成する。
【図面の簡単な説明】
【０００７】
【図１】図１は、本実施形態に係る、空間的位置ずれを起こした信号に起因する展開アーティファクトを低減するように適合させた、ＭＲＩシステムの高度な概略ブロック図である。
【図２Ａ】図２Ａは、パラレルイメージングを用いずに、従来のＭＲＩシステムにエコープラナーイメージング（Echo  Planar  Imaging：ＥＰＩ）を使用して生成された、空間歪みを示すＭＲＩ診断画像の例を示した図である。
【図２Ｂ】図２Ｂは、ＥＰＩ画像の歪みが従来のパラレルイメージングＭＲＩシステムにおいて解消された際に見られる展開アーティファクトの例を示した図である。
【図３】図３は、本実施形態に係る、空間的位置ずれを起こした信号に起因する展開アーティファクトを低減した画像を生成する方法のフローチャートである。
【図４】図４は、本実施形態に係る、改良された感度マップ及び改良されたマスクを用いてメインスキャンデータを処理する方法のフローチャートである。
【図５Ａ】図５Ａは、本実施形態に係る、感度マップの延長を示す概略図を示した図である。
【図５Ｂ】図５Ｂは、本実施形態に係る、感度マップの延長を示す概略図を示した図である。
【図５Ｃ】図５Ｃは、本実施形態に係る、感度マップの延長を示す概略図を示した図である。
【図６Ａ】図６Ａは、感度マップを延長する従来技術の例を示した図である。
【図６Ｂ】図６Ｂは、従来の方法により感度マップを延長することによって生じ得る誤差の例を示した図である。
【図７】図７は、本実施形態に係る、感度マップを延長する技術を示した図である。
【図８】図８は、本実施形態に係る、改良された感度マップを用いてメインスキャンデータを処理する方法のフローチャートである。
【図９】図９は、本実施形態に係る、改良されたマスクを用いてメインスキャンデータを処理する方法のフローチャートである。
【図１０】図１０は、ＥＰＩにおいて２Ｄ位相補正を組み合わせて、本実施形態による改良された感度マップ及び改良されたマスクを使用する方法のフローチャートである。
【発明を実施するための形態】
【０００８】
以下、図面を参照して、実施形態に係る磁気共鳴イメージング装置（以下、適宜、ＭＲＩ（Magnetic  Resonance  Imaging）システム）を説明する。
【０００９】
（実施形態）
図１は、本実施形態に係る、空間的位置ずれを起こした信号に起因する展開アーティファクトを低減するように適合させた、ＭＲＩシステムの高度な概略ブロック図である。図１に示すＭＲＩシステムは、ガントリ１０（概略断面で示す）と、これに接続された各種の関連システム構成要素２０とを含む。少なくともガントリ１０は、通常はシールドルーム内に配置される。図１に示すＭＲＩシステムの構造は、実質的に同軸の円筒形に配置された静磁場Ｂ０磁石１２と、Ｇｘ、Ｇｙ、及びＧｚの傾斜磁場コイル１４と、大型の全身用高周波（radio  frequency：ＲＦ）コイル（Whole  Body  RF  Coil：ＷＢＣ）１６とを含む。この円筒形に配列された要素の水平軸に沿って、患者用寝台１１によって支持された患者（被検体）９の頭部を実質的に取り囲むように示された、イメージングボリューム１８がある。小型のアレイＲＦコイル（Array  RF  Coil：ＡＣ）１９を、イメージングボリューム１８内で患者の頭部（以後、「スキャン対象」等と呼ぶ）に、より近接して結合してもよい。当業者には明らかなように、表面コイル等のように、全身用コイル（Whole  Body  Coil：ＷＢＣ)と比較して小さいコイル及び／又はアレイコイルは、特定の身体部分（例えば、腕、肩、肘、手首、膝、脚、胸、背骨等）に合わせて設計されることが多い。以後、そのような小型ＲＦコイルを、アレイコイル（Array  Coil：ＡＣ）又はフェーズドアレイコイル（Phased  Array  Coil：ＰＡＣ）と呼ぶ。これらは、ＲＦ信号をイメージングボリューム内に送信するよう構成された少なくとも１つのコイルと、イメージングボリュームにおいて、上記の例における患者の頭部等の被検体からのＲＦ信号を受信するよう構成された複数の受信コイルとを含んでもよい。
【００１０】
ＭＲＩシステムコントローラ２２は、ディスプレイ２４、キーボード２６、及びプリンタ２８に接続された入力／出力ポートを有する。当然のことながら、ディスプレイ２４は、制御入力もできるようにタッチスクリーンタイプのものでもよい。
【００１１】
ＭＲＩシステムコントローラ２２は、ＭＲＩシーケンスコントローラ３０に接続され、ＭＲＩシーケンスコントローラ３０は、Ｇｘ、Ｇｙ、及びＧｚの傾斜磁場コイルドライバ３２、ならびにＲＦ送信機３４及び送信／受信スイッチ（Ｔ／Ｒ）３６（同じＲＦコイルが送信と受信の両方に使用される場合）を制御する。ＭＲＩシーケンスコントローラ３０は、パラレルイメージングを含むＭＲＩイメージング（核磁気共鳴（Nuclear  Magnetic  Resonance：ＮＭＲ）イメージングとしても知られている）技術を実装するための適切なプログラムコード構造３８を含む。パラレルイメージングでは、ＭＲＩシーケンスコントローラ３０により、全身用ＲＦコイル１６及び／又はアレイＲＦコイル１９の感度マップを決定するために用いられる準備スキャン（プリスキャン）シーケンス、及び診断画像を取得するためのスキャンシーケンスを容易にできる。
【００１２】
ＭＲＩシステムは、ディスプレイ２４に表示する処理画像データを作成するために、入力をＭＲＩデータプロセッサ４２に送るＲＦ受信機４０を含む。また、ＭＲＩデータプロセッサ４２は、前に生成されたコイル感度マップ（以下、感度分布とも表記する）、延長されたコイル感度マップ、マスクデータ、及び／又はシステム構成のパラメータ４６、及びＭＲＩ画像再構成プログラムコード構造４４及びプログラム記憶装置５０へのアクセス用に構成される。
【００１３】
また、図１に、ＭＲＩシステムのプログラム記憶装置５０の一般的説明を示す。ＭＲＩシステムのプログラム記憶装置５０では、（例えば、展開アーティファクトを低減して画像再構成するためや、グラフィカルユーザーインタフェースを規定し、それに対する操作者の入力を受け取るための）格納されたプログラムコード構造が、ＭＲＩシステムの各種データ処理構成要素へアクセス可能な非一時的コンピュータ可読記憶媒体に格納される。当業者には明らかなように、プログラム記憶装置５０をセグメント化して、少なくとも一部分を、ＭＲＩシステムの処理コンピュータのうち、通常操作においてそのような格納されたプログラムコード構造を最優先で必要とする別のコンピュータに直接接続してもよい（すなわち、ＭＲＩシステムコントローラ２２に普通に格納したり直接接続したりするのではない）。
【００１４】
実際に、当業者には明らかなように、図１は、後述する例示的実施形態を実現するために変更された典型的なＭＲＩシステムの、非常に高度な概略図を示したものである。システム構成要素は、様々な論理集合の「ボックス」に分割することができ、通常、多数のデジタル信号プロセッサ（Digital  Signal  Processor：ＤＳＰ）と、マイクロプロセッサと、専用処理回路（例えば、高速Ａ／Ｄ変換用、高速フーリエ変換用、アレイ処理等用）とを含む。これらのプロセッサの各々は、通常、クロック制御された「状態マシン」であり、物理データ処理回路は、クロックサイクル（又は、所定数のクロックサイクル）毎に、ある物理状態から別の物理状態に移る。
【００１５】
処理回路（例えば、ＣＰＵ、レジスタ、バッファ、演算装置）の物理状態が、操作過程であるクロックサイクルから別のクロックサイクルに徐々に変化するだけでなく、関連データ記憶媒体の物理状態（例えば、磁気記憶媒体内のビット記憶場所）も、このようなシステムの操作過程において、ある状態から別の状態に変換される。例えば、画像再構成処理及び／又は時としてコイル感度マップ生成処理の終わりに、物理的記憶媒体内のコンピュータ可読でアクセス可能なデータ値の記憶場所の配列は、ある先行状態（例えば、全て一様に「０」値、又は全て「１」値）から新しい状態に変換され、そのような配列における物理的場所の物理状態は、最小値と最大値との間で変化して、実世界の物理的事象及び物理的条件（例えば、イメージングボリューム空間内の内部物理構造）を表す。当業者には明らかなように、そのような記憶データ値の配列は、命令レジスタに順次読み込まれ、ＭＲＩシステムの１つ以上のＣＰＵによって実行されたとき、ＭＲＩシステム内で特定のシーケンスの動作状態を引き起こし遷移させる特定構造のコンピュータ制御プログラムコードと同様に、物理的構造を表し構成する。
【００１６】
以下に説明する例示的実施形態は、ＭＲ画像を生成し表示する、改良された方法を提供する。
【００１７】
最初に、以下の例示的な実施形態に係るＭＲＩシステムの概要を説明しておく。実施形態に係るＭＲＩシステムは、ＭＲＩシーケンスコントローラ３０と、ＭＲＩシステムコントローラ２２とを備える。ＭＲＩシーケンスコントローラ３０は、プリスキャン部として、コイルの感度分布を収集するプリスキャンを実行する。ＭＲＩシーケンスコントローラ３０は、本スキャン部として、磁気共鳴画像の信号を収集する本スキャンを実行する。ＭＲＩシステムコントローラ２２は、補正部として、本スキャンの実行により磁気共鳴画像に含まれる歪みに基づいて、感度分布を補正する。ＭＲＩシステムコントローラ２２は、生成部として、補正後の感度分布を用いて、出力磁気共鳴画像（出力画像）を生成する。
【００１８】
ＭＲＩ画像は、ｋ空間における点に対するＲＦ応答値（例えば、エコーデータ）を取得することにより形成される。ＲＦ応答値は、設定されたパルスシーケンスに従ってｋ空間を２次元的又は３次元的に横断することにより生成される。周波数エンコーディング方向（例えば、ｘ軸に沿って）のエコーデータの取得は、通常は高速であり数ミリ秒程度である。しかし、位相エンコーディング方向（例えば、ｙ軸）に沿って、適用される位相エンコード磁場勾配の異なる値を用いて各点がサンプリングされる。したがって、通常、ＭＲＩ画像の取得時間は、主に位相エンコードステップの数によって決まる。
【００１９】
パラレルイメージングでは、ｋ空間を位相エンコーディング方向に沿ってアンダーサンプリングする（間引く）ことにより、収集時間を短縮できる。多くのパラレルイメージング技術において、位相エンコーディング方向に沿ってサンプリングされるｋ空間の点の数が減少するため、収集時間が大幅に短縮される。位相エンコーディング方向に沿って各点をサンプリングする代わりに、パラレルイメージング技術により、ＲＦコイル（例えば、フェーズドアレイコイル）固有の空間情報の使用が可能となり、位相エンコーディング方向に沿ってより少ない選択点のサンプルを用いてＭＲＩ画像が再構成される。また、パラレルイメージングに基づき再構成された画像では、空間分解能が改善されうる。非特許文献１に、パラレルイメージング及び再構成技術が記載されており、その内容は参照することによってその全体が本明細書に組み込まれる。パラレルイメージング及び再構成技術の別の例として、株式会社東芝のＭＲＩシステムにおいて利用可能なＳＰＥＥＤＥＲ（登録商標）がある。しかし、パラレルイメージングにより、出力された診断画像内に再構成アーティファクトが生じることがある。
【００２０】
再構成アーティファクトは、主に、位相エンコーディング方向の（画像再構成領域を減らすための）アンダーサンプリングで取得した中間的な画像に基づき所望の診断画像を得るために必要とされる展開（アンフォールディング）処理に起因する。「展開」とは、所望の診断画像を生成するために複数の折り返し画像を組み合わせる処理である。多くの場合、複数の折り返し画像は、それぞれが異なるＲＦ受信コイルから収集された点というで、互いに異なる。２つ以上の折り返し画像が展開されると、様々なアーティファクトが生じることがある。そのような展開処理に起因するアーティファクトを、ここでは「展開アーティファクト」と呼ぶ。
【００２１】
展開アーティファクトにより、特に空間的位置ずれを起こした信号を組み合わせる場合に、診断画像を正確に読影することが著しく困難になる可能性がある。空間的位置ずれはどのような種類のＭＲＩでも発生しうるが、エコープラナーイメージング（Echo  Planar  Imaging：ＥＰＩ）等の技術では、特に影響が大きいことがある。特に高磁場におけるＥＰＩの適用には、１回の撮影で完全な２Ｄ（２次元）画像を取得できるという利点がある。１回の撮影で完全な画像を取得することは、例えば、拡散（拡散強調イメージング（Diffusion  Weighted  Imaging：ＤＷＩ）等）、ファンクショナルＭＲＩ（Functional  MRI：ＦＭＲＩ）、及び潅流（動的磁化率コントラスト（Dynamic  Susceptibility  Contrast：ＤＳＣ）増強法、又は動脈スピン標識法（Arterial  Spin  Labeling：ＡＳＬ）の適用では大変望ましい。しかし、ＥＰＩは、例えば、磁化率、化学シフト、不完全な磁場均一度調整、及び渦電流に関連する大きな歪みを欠点として持つ。従来の収集エンコード及び再構成では、これらの歪みの空間的位置ずれを起こす可能性がある。特に、ｋ空間を高速のジグザグパターンで横断する場合、ｙ軸方向（例えば、位相エンコーディング方向）はｘ方向（例えば、周波数エンコーディング方向）よりも低速で横断する。これにより、（例えば、位相エンコーディング方向の）第２の傾斜磁場が第１の傾斜磁場よりかなり弱くなる場合があり、このため位相エンコーディング方向に沿ってより大きな歪みが生じることになる。
【００２２】
上記の技術を含む多くのパラレルイメージング技術では、２つの異なる画像取得法を用いて最終診断画像を再構成する。また、本明細書において「中間的な診断画像」と呼ぶものを得るメインスキャンに加えて、コイル校正プリスキャン画像も最終診断画像に寄与する。メインスキャンでは、折り返されていない画像再構成領域が狭いため、画素が折り返される。メインスキャンによっては、例えばＥＰＩにおいては、ＭＲ信号が、対応するコイル校正スキャン画像（又は対応するコイル感度マップ）と比べて折り返し防止を行う前に位置ずれを起こす（又は、ずらされる）ことがある。この不具合が解決されなければ、展開アーティファクトが最終診断画像に現れるおそれがある。これらのアーティファクトのうち最も深刻なものは、位相エンコーディング方向にシフトした不連続な折り返しエラーの領域として現れる。しかしまた、これらのアーティファクトは、特定の場所における不完全な信号又は増加した雑音（低下した信号対雑音比（signal-to-noise  ratio：ＳＮＲ））、あるいはこれらの特徴のいくつか又は全ての組み合わせとして現れる可能性もある。
【００２３】
図２Ａは、パラレルイメージングを用いずに、従来のＭＲＩシステムにエコープラナーイメージング（Echo  Planar  Imaging：ＥＰＩ）を使用して生成された、空間歪みを示すＭＲＩ診断画像の例を示したものである。図２Ａには、パラレルイメージングを用いずに取得され、ひどい位置ずれを示しているＥＰＩ画像を示す。例えば、ＭＲＩ画像において、頭部に対して右目は前方（上向き）方向に引き伸ばされたように見える。図２Ａにおいて、位相エンコードは頭部の前後方向（例えば、ｙ方向）であり、画像内の上下又は垂直方向として示される。
【００２４】
図２Ｂは、ＥＰＩ画像の歪みが従来のパラレルイメージングＭＲＩシステムにおいて解消された際に見られる展開アーティファクトの例を示したものである。図２Ｂには、図２Ａと同様に頭部のＥＰＩ画像を示すが、これはパラレルイメージングを用いて取得したものである。ＥＰＩにおける歪みは、多くの事例において、従来行われているような感度マップからのマスキングがＥＰＩ信号の位置と一致しないような歪みである。例えば、図２Ａにおける右目の信号等のように、歪んだＥＰＩ画像内で従来のマスクの外側に伸びる重要な信号を有する領域がある場合、パラレルイメージングマトリクス反転により、信号が誤った位置に配置されることがある。図２Ｂに示されたアーティファクト２０２及び２０４は、歪んだ重要信号の位置ずれの例である。例えば、アーティファクト２０２は、目の上であって、図２Ａにおける極端な歪みとおおまかに同じ位置にあるべきものである。しかし、ここに示すように、パラレルイメージングにより、おおよそ画像取得の加速ファクタ値と同じファクタ値の分だけ、全体の歪みが大幅に低減されうる。ここで、これらの画像においては約３のファクタ値である。なお、誤って展開された信号は、バックグラウンド位相差により、正か負の値を取り得る。特にアーティファクト２０２は、画像内の他の信号に対して比較的強い信号であるように見え、それにより、診断の見地から、画像を正確に読影することが非常に困難になる可能性がある。
【００２５】
パラレルイメージング技術には、この誤った再構成及び折り返しの原因となる２つの特徴がある。第１の特徴では、メインスキャンにおける歪みは、従来コイル感度マップから形成されるマスクの外側にある。マスクの外側にあるために、再構成された画像において、歪んだ信号は、別の折り返された画素の位置等、どこか別の場所に無理やり配置される。
【００２６】
誤った再構成の原因となる第２の特徴は、歪んだ信号のために用いられる感度値が間違っていることである。この感度値は、例えば、対応するコイル感度マップから決定される。対応するコイル感度マップにおける間違った値により、不適切なエンコード値が展開において用いられることとなりうる。コイル感度マップにおける誤差は、測定されたコイル感度を外挿（extrapolate）することにより生じることがある。また、これらの誤差は、メインスキャンの歪みが主要な信号からかけ離れ、かつ、急激に変化するコイル感度マップがある中で、大きな誤差を有する局所的なコイル感度値が選択される場合にも、生じる可能性がある。想定されるエンコードに誤りがあると、それに続く展開ステップにも誤りが生じ、またこれに対応して、最終的な展開画像が誤差及びアーティファクトを含むことになる。
【００２７】
本明細書に開示する技術は、パラレルイメージングにおいて取得された空間的位置ずれを起こした信号によって生じた展開アーティファクトの大幅な低減、あるいは除去さえも提供する。本明細書に開示する展開アーティファクトを低減する技術は、コイル感度マップを処理する技術と、展開の際に用いられるマスクを処理する技術とを含む。コイル感度マップを処理する改善された技術と、マスクを処理する改善された技術とを組み合わせて用いれば、より優れた結果が得られるが、実施形態によっては、改善された診断画像を生成するために、これらの技術の１つを用いてもよい。
【００２８】
本明細書に開示するプリスキャンにてコイル感度マップを処理する技術は、スキャン対象の被検体の境界線を検出してから、感度データを外に向かって複製することにより感度マップを特に最も位置ずれが起こりそうな方向に延長することで、改善された感度マップを提供する。最も位置ずれが起こりそうな方向に複製することにより延長することで、従来のコイル感度マップ生成と比較して、ｋ空間内の折り返し点における実際のコイル感度をより正確に反映した感度マップが得られる。なお、従来は、ＲＦコイルのアレイ内の各ＲＦコイルに対応する適合多項式を用いて、測定された感度データの外挿に基づいて、感度マップが生成される。
【００２９】
本明細書に開示する１つ以上のマスクを処理する技術は、メインスキャンの先行展開から１つ以上のマスクを生成する工程を含む。ここで、先行展開とは、例えば、マスクを生成するために中間的な診断画像を生成する工程である。このようにメインスキャン画像の先行展開から作成されたマスクは、コイル感度マップに基づいて作成された従来のマスクと比べて、例えば、大幅に向上した精度で重要信号の領域をよりよく表示する。先行展開からのマスクはメインスキャンと同じ幾何学的歪みを有するため、これを使用することにより、メインスキャンにおける重要な領域の信号が不適切にマスキングされることはなく、また、信号が誤って他の折り返し画素に無理やり配置されることもない。
【００３０】
このように、上記の技術のいずれか１つ又は両方を、例えば、上述の非特許文献１又はＳＰＥＥＤＥＲ（登録商標）の従来の態様と組み合わせて用い、診断画像を生成すると、展開アーティファクトが低減され改善された画像を取得することができる。
【００３１】
ＰＬＡＣＥ（位相ベースの補正技術）やいわゆるブリップアップブリップダウン（blip-up-blip-down）技術等の従来の歪み補正技術では、取得回数を大幅に（例えば、２回）増やす必要があったが、本明細書に開示する新技術を使用することで、取得回数を増やすことなく、展開アーティファクトの低減又は実質的な除去が可能になる。さらに、ＦＭＲＩ、ＤＳＣ、又はＡＳＬ処理に支障を来たしかねないようなバラツキが新たな一連の画像内に入ることなく、アーティファクトが補正される。さらに、開示する実施形態は、ＥＰＩ以外のパラレルイメージングスキャンに用いられる技術を含む従来のプリスキャン技術を用いることもできる。加えて、本明細書に開示する技術は、異なるサイズのマトリクスの作成や異なるサブセットの画素を含むか含まないかの選択に関する条件を必要としないため、並列プログラミング及び演算の高速化に高度に適合したモデルを提供する。
【００３２】
図３は、本実施形態に係る、空間的位置ずれを起こした信号に起因する展開アーティファクトを低減した画像を生成する方法のフローチャートである。図示した実施形態では、パラレルイメージングサブルーチンＡにはステップＳ３０２〜Ｓ３１０が含まれる。しかし、実施形態によっては、ステップＳ３０２〜Ｓ３１０のうち１つ又は複数の操作は実行されなくてもよいし、図示した以外の順序で実行されてもよい。
【００３３】
ＭＲＩシステムは、パラレルイメージングサブルーチンＡを開始する（ステップＳ３００）。スキャン対象の被検体は、ＭＲＩシステム内に配置される（ステップＳ３０２）。この操作は、スキャンに適した方法でガントリ１０内に被検体を配置することに加え、所望の種類の診断画像を取得するのに適したスキャンシーケンスを実行するＭＲＩシステムを設定する工程を含む。設定には、プリスキャンシーケンス及びメインスキャンシーケンスの選択、パラレルイメージングに関連する減衰因子、傾斜設定等が含まれてもよい。
【００３４】
ＭＲＩシーケンスコントローラ３０は、プリスキャン部として、コイルの感度分布を収集するプリスキャンを実行する（ステップＳ３０４）。ガントリ１０内の被検体のプリスキャンを実行することにより、複数のＲＦコイル用にコイル感度マップが生成される。プリスキャンは、通常は数秒程度であってメインスキャンよりも所要時間が実質的に短い、設定可能な時間内で実行することができる。プリスキャンにより、スキャナ内の全イメージングボリューム（この場合、内側に配置された被検体）に対して低分解能の画像が得られる。特許文献１に、１つ以上のプリスキャン技術が記載されており、参照することによりその全体が本明細書に組み込まれる。一実施形態において、特許文献１に記載の高速２Ｄグラジェントリコールドエコーパルスシーケンスを含む複数のプリスキャン技術のいずれかを用いてもよい。実施形態によっては、２Ｄ又は３Ｄフーリエ変換フィールドエコースキャンを行ってもよい（例えば、場合により約２０秒かかる）。
【００３５】
また、プリスキャンは、プリスキャンにおいて取得したデータからのコイル感度マップ（これらは「空間感度マップ」又は「感度分布」とも呼ばれる）の生成を含んでもよい。一実施形態では、非特許文献１又は特許文献１に記載の技術から選択した技術を用いて、コイル感度マップを決定してもよい。例えば、特許文献１には、各コイルのコイル感度を決定する１つ以上の技術が記載されており、コイルアレイ用の感度マップを作成するために用いてもよい。特許文献１では、画素毎に、各コイルのプリスキャン画像輝度の割合及び全コイルのプリスキャン画像輝度の合計を計算している。特許文献１に記載の技術は、ＷＢＣの校正画像を必要としない。しかし、他の技術により、各プリスキャン画像を全身コイル画像に配分して、各コイルの空間感度を決定してもよい。これらの技術は、コイル感度マップを与えるプリスキャン画像に起因する雑音（例えば、測定信号に対する患者による影響）を取り除き、フェーズドアレイコイル内の各ＲＦコイル用の空間感度マップを画定する。本実施形態では、１つ以上の後続のメインスキャンと関連付けて使用するために、コイル感度マップを格納してもよい。
【００３６】
ＭＲＩシーケンスコントローラ３０は、本スキャン部として、磁気共鳴画像の信号を収集する本スキャンを実行する（ステップＳ３０６）。例えば、ガントリ１０に配置された被検体のメインスキャンが実行される。メインスキャンの種類及び取得対象の画像のシーケンスは、設定可能であってもよい。例えば、一実施形態では、メインスキャンとしてＥＰＩが実行される。パラレルイメージング技術では、フェーズドアレイコイル内の全コイルが信号を同時に受信するので、各コイルの折り返し画像から折り返しのない画像を回復するために、各コイルの空間感度マップが必要である。このメインスキャンから受信したデータ（メインスキャンデータ）を、本明細書では１つ以上の中間的な診断画像とも呼ぶ。
【００３７】
ＭＲＩシステムコントローラ２２は、最終診断画像生成処理を実行する（ステップＳ３０８）。例えば、メインスキャンデータ（例えば、中間的な診断画像）が、一実施形態により延長された１つ以上のコイル感度マップ及び／又は一実施形態によるマスクに従って処理され、最終診断画像が生成される。この処理は、本明細書に記載の実施形態により改良されたコイル感度マップ及び／又はマスクを用いて、中間的な診断画像を展開する工程を含む。最終診断画像が有する展開アーティファクトは、従来のパラレルイメージングスキャンに比べて、大幅に低減される。実施形態によっては、複数の最終診断画像を生成してもよい。なお、ステップＳ３０８の最終診断画像生成処理としては、後述のパラレルイメージングサブルーチンＢ〜Ｅのいずれかが実行される（図４，８〜１０参照）。
【００３８】
そして、最終診断画像（出力画像）が出力される（ステップＳ３１０）。この出力は、ＭＲＩシステムのディスプレイ又は外部ディスプレイに表示する工程を含んでもよい。実施形態によっては、この出力は、１つ以上の診断画像を、ＭＲＩシステムの一部であってもよいネットワークインタフェースを介して送信する工程や、ＭＲＩシステムに内蔵されるか通信可能に結合されるかのいずれかのメモリ又は他の記憶装置に格納する工程を含んでもよい。
【００３９】
図４は、本実施形態に係る、改良された感度マップ及び改良されたマスクを用いてメインスキャンを処理する方法のフローチャートである。図示した実施形態では、パラレルイメージングサブルーチンＢにはステップＳ４１０〜４２６が含まれる。しかし、実施形態によっては、ステップＳ４１０〜４２６の１つ又は複数は実行されなくてもよいし、又は図示した以外の順序で実行されてもよい。一実施形態によると、ステップＳ４１０〜４２６は、上述のステップＳ３０８の処理の中で実行される。
【００４０】
ＭＲＩシステムは、パラレルイメージングサブルーチンＢを開始する（ステップＳ４００）。ＭＲＩシステムコントローラ２２は、被検体の境界線（周縁部等）よりわずかに内側の位置を特定する（ステップＳ４１０）。上述のステップＳ３０４の処理で生成されたコイル感度マップ等のコイル感度マップが処理されて、スキャン対象の被検体の境界線（例えば、周縁部）が決定される。本明細書では、入力コイル感度マップ４０２を、これらのマップがまだ延長されていないことを反映して、「生のコイル感度マップ」と呼ぶ。しかし、実施形態によっては、それに対していくつかの更なる処理が既に実行されている可能性のあるコイル感度マップを用いてもよい。
【００４１】
ステップＳ４１０の処理では、例えば、被検体の２Ｄ表示（例えば、横断スライス画像）を用いた従来の境界線発見技術を用いて、スキャン対象の被検体の境界線を検出してもよい。境界線が特定されると、境界線のわずかに内側の位置にある一連の点が決定される。選択された一連の点から境界線までの厳密な距離は、設定可能である。例えば、選択された点は、境界線の内側の設定可能な数の画素であってもよいし、境界線から内側の設定可能な距離の測定値（例えば、ミリメートルやセンチメートル）であってもよいし、又は設定可能な距離範囲（例えば、０．５〜１．５ｃｍ）内にあってもよい。別の実施形態によると、選択された一連の点の全てが、境界線から同じ距離にあるわけではない。例えば、境界線から異なる距離に位置する点があってもよく、これは最初に示された選択点が実際のコイル感度を十分正確に示す値を有していない場合があると判断されるからである。例えば、（設定された距離範囲により）最初に示された点の位置が骨や空洞域に非常に近い場合、最初に示された位置を、設定された距離範囲内にあるままで、間近の周辺領域内で不正確な感度値の原因となりうる骨や空洞域から離れるように、変更してもよい。
【００４２】
ＭＲＩシステムコントローラ２２は、特定された位置の各点を位相エンコーディング方向に複製する（ステップＳ４１２）。すなわち、ＭＲＩシステムコントローラ２２は、補正部として、本スキャンの実行により磁気共鳴画像に含まれる歪みに基づいて、感度分布を補正する。例えば、コイル感度マップ内の被検体の境界線が延長される。特に、ステップＳ４１０によって特定された一連の点からそれぞれの点が、少なくともメインスキャンの位相エンコーディング方向に、境界線から離れた設定可能な距離まで複製される。ここで、位相エンコーディング方向に複製されるのは、例えば、最も誤差が予想されるからであり、このように複製されるのは曲線当てはめによる外挿とは対照的である。一実施形態によると、位相エンコーディング方向に沿ったいずれかの方向の、画像再構成領域（field  of  view：ＦＯＶ）の端まで、点を複製してもよい。例えば、位相エンコーディング方向が左右方向の場合、境界線が左右に延長されるように、境界線のわずかに内側から選択された点が複製される。
【００４３】
なお、換言すると、ＭＲＩシステムコントローラ２２は、補正部として、磁気共鳴画像に含まれる歪みの方向に基づいて感度分布を拡張又は縮小する方向を求め、感度分布を補正する。具体的には、ＭＲＩシステムコントローラ２２は、感度分布を複製により拡張又は縮小することで、感度分布を補正する。より具体的には、ＭＲＩシステムコントローラ２２は、複製として、感度分布において被検体に対応する境界線の内側の点を位相エンコーディングの方向に複製する。また、歪みは、ｋ空間において位相エンコーディング方向に沿って生じる歪みが磁気共鳴画像に現れた歪みである。
【００４４】
例示的な複製の例を図５Ａ〜５Ｃに示す。図５Ａ〜５Ｃは、本実施形態に係る、感度マップの延長を示す概略図を示したものである。生の、すなわち補正前の感度マップ５０２、例えば、各コイルにより取得されたような感度マップには、ＭＲＩシステムのメモリ又は記憶装置内でアクセスされる。生の感度マップ５０２はそれぞれ解析されて、外側の境界線５０４が特定される。図５Ａに、特定された境界線５０４を有する生の感度マップ５０２を示す。次に、ステップＳ４１０について上述したように、位置５０６の一連の点が、図５Ｂに示すように境界線のわずかに内側で特定される。例えば、特定された境界線に比較的近い周縁部が特定される。一実施形態によると、頭部のスキャンでは、境界線の内側１ｃｍの一連の点が特定される。次に、図５Ｃに示すように、ステップＳ４１２について上述したように、特定された位置５０６の一連の点から少なくともいくつかの点５０８及び５１０が、位置ずれが起こりそうな延長方向５１２及び５１４に延長される。この実施形態に示すように、位置ずれが起こりそうな方向は、メインスキャンに関連する位相エンコードの方向である。なお、この延長方向は、必ずしもプリスキャンの感度マップの位相エンコーディング方向に一致しなくても良い。延長方向５１２及び５１４における各点は、点５０８及び５１０を複製することにより実現される。上述のように、この実施形態における複製による点の延長は、一般に各コイルの空間多項式曲線の当てはめにより外挿することにより感度マップを延長してきた従来技術とは対照的である。さらに、この実施形態における点５０８及び５１０の位相エンコーディング方向への好ましい延長は、各コイルの多項式曲線の当てはめに従って様々な（例えば、おそらく全ての）方向に境界線を延長する従来技術とも対照的である。
【００４５】
図６Ａは、感度マップを延長する従来技術の例を示したものである。図６Ｂは、従来の方法により感度マップを延長することによって生じ得る誤差の例を示したものである。図７は、本実施形態に係る、感度マップを延長する技術を示したものである。図６Ａに、スキャンした被検体の境界線を外挿によって延長する従来技術を示す。図６Ｂに、感度マップを延長するそのような従来技術によって生じ得る誤差の例を示す。図７に、例示的な実施形態に係る複製による感度マップの延長を示す。図６Ａ〜Ｂ及び図７において、物理的な位相エンコーディング方向が水平（左右）方向に沿っていることを前提とする。これらの小さい概要図における垂直方向は、信号強度軸として考えることができる。
【００４６】
図６Ａに、従来技術に係るコイル感度値の延長を示す。スキャン対象の被検体の境界線６０２が決定される。一般に、検出された境界線内の領域は、信頼できる測定コイル感度値を有すると考えられる。このため、検出された境界線の内側の点の値に基づき、アレイの各コイル感度に対して、曲線当てはめの多項式が決定される。２つのコイルのアレイの例を考えてみると、アレイのコイル１及びコイル２それぞれのコイル感度を示す多項式６０４及び６０６が、検出された境界線６０２によって囲まれる領域内で対応する点の値に適合するように決定される。例えば、多項式６０４及び６０６を、周知の多項式適合技術のいずれかによって決定してもよい。スキャン対象の被検体の内部のための各コイル用の多項式６０２が決定されると、従来技術では、多項式６０４及び６０６のそれぞれを、検出された境界線の外側の領域６１０及び６１２に外挿する。例えば、Ｋｉｎｇらの特許文献２及びＢａｌｌｅｓｔｅｒらの特許文献３に記載されている外挿技術がある。なお、位置ずれや歪みのない真のコイル感度パターンが、被検体の外側で急上昇する可能性があることは一般的であるが、これはコイルアレイ導体が被検体の近くに位置する場合が一般的であり、信号位置とコイル導体素子との距離が短いために、ビオ−サバールの法則により高い感度が得られるからである。
【００４７】
図６Ｂに、従来の延長技術を適用した場合に、ＥＰＩにおいて生成されたような空間的位置ずれを起こした信号が、いかにして重大な誤差を生じさせ得るかを示す。被検体の検出された境界線６２０内にあるコイルの感度値６３２及び６３４（及び同じ感度によって強調された画像に関連付けられたＥＰＩ信号レベル）は、真の、すなわち正しい信号位置において示されると見なしうる。コイル感度（又は感度強調されたメイン画像（ＥＰＩ）画素信号値）を示すものの位置ずれを起こした信号の位置にある値６２６及び６２８が、それぞれの正しい感度値６３２及び６３４の近くに現れることがある。実際のコイル感度が、対応する多項式の外挿に基づいて延長されると、比較的大きな誤差が発生することがある。例えば、位置ずれを起こした信号６２８とスキャンされた被検体の境界線６２０の内側の対応する真の信号６３４との間の位置ずれに起因する誤差の大きさは、展開位置６３８と対応する位置ずれ位置６３４との間の差を示す６４０によって示されているように、画像を再構成する際に相当大きなものとなる。
【００４８】
さらに、図６Ｂによると、コイル感度値６３４及び６３２を用いて対応する信号がエンコードされる。しかし、再構成展開の間に用いられる対応するコイル感度は、それぞれコイル感度値６３８及び６３６である。被検体の検出された境界線６２０の外側のこれらのコイル感度値は、各コイルのコイル感度値に適合する多項式に基づき決定される。図示したように、再構成の間に用いられるコイル感度である６３８と実際に信号をエンコードするコイル感度６３４との間の誤差６４０は、信号の特定の位置ずれに起因し、対応する実際の誤差よりも相当大きいものとなって現れる。６３４と６３８との間に生じる比較的大きい誤差の理由のひとつとして、各コイルのコイル感度に対応する曲線当てはめによる多項式に従って、検出された境界線の内側から外側へデータを外挿していることが挙げられる。
【００４９】
図７に、一実施形態に係る、検出された境界線の内側から延長された領域へ対応する値を複製することによる、検出された境界線６５０の内側から外側への点（例えば、コイル感度値）の延長（複製）を図示する。この結果、コイル１の感度マップは、検出された境界線の内側の領域における感度６５４と、延長された領域における感度６５８及び６６２とを含む。同様に、コイル２の感度マップは、検出された境界線の内側の領域における感度６５２と、延長された領域における感度６５６及び６６４とを含む。
【００５０】
ここで、図４の説明に戻る。ＭＲＩシステムコントローラ２２は、感度エンコーディングマトリクス（単に、感度マトリクスとも称される）を生成する（ステップＳ４１４）。例えば、複製により延長された感度マップを用いて感度エンコーディングマトリクスが形成される。非特許文献１や特許文献２に開示されているような技術を用いて、感度エンコーディングマトリクスを決定することができる。感度エンコーディングマトリクスは、例えば、Ｎ×Ｃのマトリクスとすることができ、ここで各行ｉは、ｉ＝１…Ｎでフェーズドアレイコイルのコイルｉを示し、また各列ｊは、ｊ＝１…Ｃで折り返し画素位置を示す。したがって、位置（ｉ，ｊ）におけるマトリクスの値は、コイルｉにおいて受信されたときのｊ番目の画素に対する感度を示す。感度マトリクスの各要素の値は、プリスキャンの間に取得した感度マップから決定することができる。このため、上記のステップＳ４１２のように、感度マップを延長する前では、感度マップは、測定された感度値を含む。複製による延長の後では、感度マトリクスは、延長に基づく値を含んでもよい。
【００５１】
ＭＲＩシステムコントローラ２２は、感度エンコーディングマトリクスを反転させて、デコーディングマトリクスを生成する（ステップＳ４１６）。デコーディングマトリクスにより、データを、感度マトリクス内で指定された複数のコイルから、複数の折り返されていない画素に変換して戻すことができる。反転は、ムーア−ペンローズの擬似逆行列等の周知のマトリクス反転技術によるものでもよい。これは、例えば、単純形式の均一な未補正雑音を前提とした、最小の雑音条件で、最小二乗法の閉形式解である。必要に応じて、非特許文献１に記載されているように、感度マトリクスの逆行列を決定する際に、受信機雑音レベル及び受信機チャネル内の雑音の補正を用いることができる。本明細書の例示的実施形態では、反転において、受信機雑音のレベル及び補正を考慮してもよいし、考慮しなくてもよい。しかし、受信機雑音レベルを考慮せずにデコーディングマトリクスを決定すると、信号対雑音比（signal-to-noise  ratio：ＳＮＲ）が低い点でいくらか不利になることが予想される。
【００５２】
ＭＲＩシステムコントローラ２２は、メインスキャンデータ４０４を展開する（ステップＳ４１８）。メインスキャンデータの展開は、ステップＳ４１６で生成されたデコーディングマトリクスを用いて実行される。実施形態によっては、ステップＳ４１８における展開は、マスクを用いずに実行される。マスクにより、画像内のどのデータ点が、関心領域（region  of  interest：ＲＯＩ）の外側にあるために無視することができるかが示される。別の実施形態によると、ステップＳ４１８における展開は、コイル感度マップ又はコイル感度マトリクスに基づき形成されたマスクの使用を含む。例えば、コイル感度マップ又はコイル感度マトリクスに基づき形成されたマスクにより、どの画素位置が関心領域の内側にあるのか、及びどの画素位置が外側にあるのかが示され、そのような情報を用いて、単にＲＯＩの内側及び／又は近くにある画素位置を考慮することにより、展開処理の質を改善することができる。なお、感度マトリクス及びその擬似逆行列であるデコーディングマトリクスは単一ではないため、反転により、通常メイン画像内に既に存在する（「ｇ値」により定量化されているような）いかなる騒音も増幅されうる。ｇ値を低減する（例えば、騒音を低減する）ための従来技術として、所定位置に信号がないはずであるということが感度マップから分かれば、エンコーディング及び反転から折り返し点を排除することがある。非特許文献１には、信号がない折り返し点を取り除くことにより感度マップのサイズを縮小すること、また、制約のある、より小さいシステムに対処できれば雑音を最小限にする自由度が増やせることが記載されている。エンコーディングマトリクスの全列を完全に取り除くことの他に、信号がほとんどない、あるいは全くない画素に対応する列を非強調することも妥当と思われる。Ｋｉｎｇらの特許文献４に、感度マトリクスを改良し、マトリクス反転処理に正則化項を加えることにより、信号忠実度の多少の損失はあるものの雑音を低減する技術が記載されており、その内容は参照することによってその全体が本明細書に組み込まれる。従来、排除又は非強調する点は、本来折り返しがないため、プリスキャン感度マップを用いて識別される。
【００５３】
デコーディングマトリクスを用いてメインスキャンデータ（画像）を展開する技術は周知であり、非特許文献１に記載されているような技術を用いて、上記のようにデコーディングマトリクスを用いてメインスキャンデータから展開された診断画像を取得することができる。この段階で展開された診断画像を、中間的な診断画像と呼ぶ。
【００５４】
ＭＲＩシステムコントローラ２２は、ステップＳ４１８で展開されたメインスキャンデータ（中間的な診断画像）からマスクを生成する（ステップＳ４２０）。マスクは、特定の画素又は領域が所要の画素輝度よりも低い画素輝度を有していると識別する閾値関数に基づき、決定することができる。所要の画素輝度は、設定可能であってもよい。マスクは、どの画像のデータ点がＲＯＩの外側にあるため無視することができるかを示すためのものである。マスクにより、スキャンされた被検体における対応する位置が、例えば被検体又はＲＯＩの外側にあるため信号に寄与していないとき、再構成における考慮から画素を除外することができる。一般に、再構成に寄与しそうにない画素を取り除くことにより、折り返しの程度が低減され、その結果とＳＮＲが向上しうる。エンコーディングマトリクスからの画素の除外は、列が消去されたマトリクスを用いて、全体として行うことができ、あるいは、小さい値を乗じて列を非強調することにより、部分的にマトリクスのサイズを変えることなく、画素を除外することができる。列が非強調されて明確には除外されていない場合、全ての一連の折り返し画素に対して同じサイズのマトリクス反転を行うことができ、アルゴリズムを計算によるパラレル処理に適用してもよい。換言すると、ステップＳ４１８及びＳ４２０の処理により、ＭＲＩシステムコントローラ２２は、マスク生成部として、パラレルイメージングで得られた信号に対して第１のアンフォールディング処理を施すことで、中間磁気共鳴画像を生成し、生成した中間磁気共鳴画像を用いて、マスク又は重み付け情報を生成する。
【００５５】
ＭＲＩシステムコントローラ２２は、ステップＳ４２０で生成されたマスクを用いて、改良された感度エンコーディングマトリクスを生成する（ステップＳ４２２）。一実施形態によると、上述のように、感度マトリクス内の列は折り返しピクセルの位置を示す。一実施形態によると、マスクに基づいて、信号に寄与しない、あるいはＲＯＩの外側にある画素位置に対応する感度マトリクス内の１つ以上の列を取り除くことができる。
【００５６】
ＭＲＩシステムコントローラ２２は、改良された感度マップを反転させて、改良されたデコーディングマトリクスを生成する（ステップＳ４２４）。このステップＳ４２４の処理は、ステップＳ４１６と同じ方法で実行してもよいが、改良された感度マトリクスに基づいて行う。デコーディングマトリクスを生成するために、改良された感度マトリクスを、受信機雑音を考慮して、あるいは考慮せずに、反転させることができる。
【００５７】
ＭＲＩシステムコントローラ２２は、改良されたデコーディングマトリクスを用いて、メインスキャンデータ４０４を展開する（ステップＳ４２６）。このステップＳ４２６の処理は、改良されたデコーディングマトリクスに基づいて、ステップＳ４１８と同じ方法で実行してもよい。ステップＳ４２６の処理により、メインスキャンの出力画像が再構築される。換言すると、ステップＳ４２２〜Ｓ４２６の処理により、ＭＲＩシステムコントローラ２２は、生成部として、プリスキャンで得られた各コイルの感度分布と、パラレルイメージングで得られた信号と、マスク又は重み付け情報とを用いて、第２のアンフォールディング処理を施すことで、出力磁気共鳴画像を生成する。
【００５８】
このように、ＭＲＩシステムコントローラ２２は、生成部として、補正後の感度分布を用いて、出力磁気共鳴画像を生成する。
【００５９】
図８は、本実施形態に係る、改良された感度マップを用いてメインスキャンを処理する方法のフローチャートである。図８には、本実施形態に係る、改良された感度マップを用いてメインスキャンデータを処理するフローチャートを示す。図示した実施形態では、パラレルイメージングサブルーチンＣにはステップＳ８０６〜８１４が含まれる。しかし、実施形態によっては、ステップＳ８０６〜８１４の１つ又は複数は実行されなくてもよいし、図示した以外の順序で実行されてもよい。一実施形態によると、ステップＳ８０６〜８１４は、上記のステップＳ３０８の処理の中で実行される。
【００６０】
なお、パラレルイメージングサブルーチンＣにおいては、本明細書で開示する改良された感度マップを用いて診断画像を生成してもよいが、本明細書で開示する改良されたマスクの使用は必要としない。
【００６１】
ＭＲＩシステムは、パラレルイメージングサブルーチンＣを開始する（ステップＳ８００）。折り返されていない生の感度マップ８０２が、ステップＳ８０６への入力として提供される。生の感度マップ８０２は、受信用コイルから取得した感度マップであってもよい。ステップＳ８０６〜Ｓ８１２の処理は、上述の対応するステップＳ４１０〜Ｓ４１６の処理と同様に実行されてもよい。必要に応じて、ステップＳ８１０の処理において、ステップＳ４１４に関して述べた処理に加え、感度エンコーディングマトリクスを生成する際に、感度マップ又は感度マトリクスに基づいて生成されたマスクを考慮してもよい。デコーディングマトリクスを作成する際のマスクの使用については、他の操作に関連して上述している。
【００６２】
ＭＲＩシステムコントローラ２２は、ステップＳ８１２の処理で生成されたデコーディングマトリクスを用いて、メインスキャンデータ８０４を展開する（ステップＳ８１４）。上述したように、メインスキャンデータ８０４は折り返し画像であってもよい。
【００６３】
図９は、本実施形態に係る、改良されたマスクを用いてメインスキャンデータを処理する方法のフローチャートである。図９に、本実施形態に係る、改良されたマスクを用いてメインスキャンデータを処理するパラレルイメージングサブルーチンＤのフローチャートを示す。図示した実施形態では、パラレルイメージングサブルーチンＤにはステップＳ９０６〜９１８が含まれる。しかし、実施形態によっては、ステップＳ９０６〜９１８の１つ又は複数は実行されなくてもよいし、図示した以外の順序で実行されてもよい。一実施形態によると、ステップＳ９０６〜９１８は、上述のステップＳ３０８の処理の中で実行される。
【００６４】
なお、パラレルイメージングサブルーチンＤにおいては、本明細書で開示する改良したマスクを用いて診断画像を生成してもよいが、本明細書で開示する改良された感度マップの使用は必要としない。
【００６５】
ＭＲＩシステムは、パラレルイメージングサブルーチンＤを開始する（ステップＳ９００）。折り返されていない生の感度マップ９０２が、ステップＳ９０６への入力として提供される。生の感度マップ９０２は、受信用コイルから取得した感度マップであってもよい。感度マトリクスが、感度マップに基づき生成される。実施形態によっては、感度マップをそれ以上処理することなく用いて、被検体の境界線を越えてマップを延長する。実施形態によっては、被検体の境界線を越えるように、マップをステップＳ９０６において延長してもよい。延長は、既知の（例えば、測定された）感度値の外挿に基づいてもよい。例えば、外挿は、図６Ａに関して上述したような先行技術に従ってもよいが、図７に関して上述したような複製による延長技術を用いることが好ましい。
【００６６】
ＭＲＩシステムコントローラ２２は、感度マップを用いて生成された感度マトリクスを反転させて、デコーディングマトリクスを作成する（ステップＳ９０８）。ここで、感度マップは、延長されていても延長されていなくてもよい。感度マトリクス及びデコーディングマトリクスの生成については、上述した。
【００６７】
ＭＲＩシステムコントローラ２２は、デコーディングマトリクスを用いて、メインスキャンデータ９０４を展開する（ステップＳ９１０）。ＭＲＩシステムコントローラ２２は、ステップＳ９１０の処理で展開されたメインスキャンデータに基づきマスクを生成する（ステップＳ９１２）。展開及びマスクの生成については、図４にて上述した。
【００６８】
ＭＲＩシステムコントローラ２２は、ステップＳ９１２で生成されたマスクを用いて、改良された感度エンコーディングマトリクスを生成し（ステップＳ９１４）、感度マトリクスが処理される。ステップＳ４２２に関して上述したのと同様の方法で、信号を提供しないか関心領域の外側にあるかのいずれかの画素位置を取り除くか源弱することにより、改良された感度マトリクスを生成してもよい。
【００６９】
ＭＲＩシステムコントローラ２２は、ステップＳ９１４の処理により生成された、改良された感度エンコーディングマトリクスを反転させて、改良されたデコーディングマトリクスを生成する（ステップＳ９１６）。ＭＲＩシステムコントローラ２２は、ステップＳ９１６の処理からの改良されたデコーディングマトリクスを用いて、メインスキャンデータ９０４を展開する（ステップＳ９１８）。
【００７０】
図１０は、ＥＰＩにおいて２Ｄ位相補正を組み合わせて、本実施形態による改良された感度マップ及び改良されたマスクを使用する方法のフローチャートである。図１０に、ＥＰＩにおける２Ｄ位相補正と組み合わせて、本実施形態に係る、改良されたマスクと組み合わせて改良された感度マップを用いるフローチャートを示す。図示した実施形態では、パラレルイメージングサブルーチンＥにはステップＳ１０２２〜Ｓ１０５０が含まれる。しかし、実施形態によっては、ステップＳ１０２２〜Ｓ１０５０の１つ又は複数は実行されなくてもよいし、図示した以外の順序で実行されてもよい。一実施形態によると、ステップＳ１０２２〜Ｓ１０５０は、上記のステップＳ３０８の処理の中で実行される。
【００７１】
パラレルイメージングサブルーチンＥでは、ＥＰＩにおける２Ｄ位相補正を使用して、本明細書に開示するような、改良された感度マップと改良されたマスクとを組み合わせている。２Ｄ位相補正は、ＥＰＩ画像内のナイキストゴーストが取り除くために頻繁に用いられる。非特許文献２には、ＥＰＩにおける２Ｄ位相補正が記載されている。概して、方法ステップＳ１０００に、２Ｄナイキスト低空間周波数ゴーストの補正と共に、本明細書に開示されるような改良された感度マップ及び改良されたマスクの使用を示す。
【００７２】
ＭＲＩシステムは、パラレルイメージングサブルーチンＥを開始する（ステップＳ１０００）。ＭＲＩシステムコントローラ２２は、コイル感度マップ１００２を位相エンコーディング方向に延長する（ステップＳ１０２２）。ステップＳ４１０〜Ｓ４１２に関して上述したように、コイル感度マップ１００２の延長は、被検体の境界線のわずかに内側にある感度マップ又はプリスキャン画像上の領域の位置を特定する工程と、位相エンコーディング方向に識別された画素を複製により延長する工程とを含んでもよい。延長された感度マップ１００８を、メモリに保持してもよい。
【００７３】
ＭＲＩシステムコントローラ２２は、ＥＰＩナイキストプリスキャンデータ１００４が入力として取り込まれ、２Ｄフーリエ変換（2D  Fourier  transform：２ＤＦＴ）を用いて偶数と奇数とで別々の基準画像を生成する（ステップＳ１０２４）。このＥＰＩナイキストプリスキャンデータ１００４は、「ＥＰＩテンプレート」としても知られている。ＥＰＩテンプレートは、感度マップを取得するプリスキャンとは別のプリスキャンにおいて取得したものであってもよい。ＭＲＩシステムコントローラ２２は、奇数及び偶数の基準画像を用いて、偶数行画像と奇数行画像の位相差を決定する（ステップＳ１０２６）。ＭＲＩシステムコントローラ２２は、複数チャネルにわたる位相差が追加処理有り又は無しで蓄積され、複数のチャネルの信号を足し合わせ、その実部及び虚部の信号値からarctangentで位相を求め（ＡＴＮＡ）（ステップＳ１０２８）、ナイキスト補正マップ１０１０が生成される。実施形態によっては、ナイキスト補正マップ１０１０により、ナイキストゴーストを取り除くために必要な乗法的複合位相マップが識別される。
【００７４】
ＭＲＩシステムコントローラ２２は、ＥＰＩメインスキャン１００６の画像の中から、基準ＭＲＩデータ取得ショットを選択する（ステップＳ１０３０）。ＭＲＩシステムコントローラ２２は、選択された基準画像に基づき、マスク生成用の偶数及び奇数の２ＤＦＴ画像データを決定する（ステップＳ１０３２）。
【００７５】
ＭＲＩシステムコントローラ２２は、ステップＳ１０３２で決定された偶数及び奇数の２ＤＦＴ画像データ、ナイキスト補正マップ１０１０、及び延長された感度マップ１００８が入力として取り込まれ、中間ＥＰＩ画像１０３６を生成する（ステップＳ１０３４）。なお、このステップＳ１０３４の処理は、感度マトリクスをエンコードする工程と、感度マトリクスを反転させてデコーディングマトリクスを生成する工程と、次にデコーディングマトリクスを用いてＥＰＩ画像を展開する工程とを含んでもよい。しかし、ＥＰＩ画像１０３６は、高いｇ値を有し得るという意味で準最適である。
【００７６】
ＭＲＩシステムコントローラ２２は、準最適なＥＰＩ画像１０３６に基づき、輝度値が閾値未満の画素の位置を識別する（閾値処理）（ステップＳ１０３８）。閾値は、設定されたものでよいし、動的に決定されたものでもよい。これらの位置を、それぞれの位置がスキャンされた被検体から広がるにつれて、それぞれの位置の強調が小さくなるようにした非強調マップとしてもよい。この結果、閾値未満であると識別された画素位置を用いて、マスク又は非強調マップ１０１２が決定される。なお、この非強調マップは、画素の位置に応じて輝度値の重みが付けられた重み付け情報の一例である。
【００７７】
ＭＲＩシステムコントローラ２２は、偶数及び奇数の２ＤＦＴが、全てのＥＰＩメインスキャン画像１００６に対して決定する（ステップＳ１０４０）。次に、ＭＲＩシステムコントローラ２２は、ＥＰＩメインスキャン画像１００６のそれぞれから得られた偶数及び奇数の２ＤＦＴ画像データを、マスク１０１２、ナイキスト補正マップ１０１０、及び延長された感度マップ１００８とまとめて考慮して、ｇ値が所望の値まで低減された最終的なＥＰＩ画像１０５０を生成する（ステップＳ１０４２）。なお、ステップＳ１０４２の処理は、ステップＳ１０３４の処理と同様に、感度マトリクスをエンコードする工程と、デコーディングマトリクスを生成する工程と、デコーディングマトリクスを用いてＥＰＩ画像を展開する工程とを含む。
【００７８】
次に、最終ＥＰＩ画像を、部分ｋ空間ホモダインフィルタリング補正（Partial  K-Space  Homodyne  Filtering  Correction：ＰＫＨ）、高周波画像均一化補正（radio  frequency  Image  Uniformity  Correction：ＩＵＣ）、傾斜歪み補正（Gradient  Distortion  Correction：ＧＤＣ）等の、様々な後処理機能にかけることができる。最終ＥＰＩ画像又は後処理後の最終ＥＰＩ画像から、最終診断画像（出力画像）が得られる。
【００７９】
当然のことながら、上記の実施形態は、
（ａ）最終的な展開された診断画像を得るために生の画像データをさらに処理する際に使用するより正確なマスクを生成するための、展開された「中間的な」診断画像と、
（ｂ）診断画像を最終的に展開する際に用いる、（曲線当てはめによる外挿ではなく）複製によるコイル感度マップの延長と
のいずれか又は両方を用いることにより、改良されたパラレルＭＲイメージングを提供する。
【００８０】
（パラレルイメージング以外への適用）
なお、上記の説明では、ＭＲＩシステムがパラレルイメージングによる撮像を行う場合を説明したが、実施形態はこれに限定されるものではない。例えば、上記の改善された感度マップ（感度分布）は、輝度補正に用いることもできる。
【００８１】
具体的には、従来、出力磁気共鳴画像（出力画像）を得るために、プリスキャン（例えば、リファレンススキャン）で得られた感度分布を用いて輝度補正を行うことが行われている。しかしながら、例えばＥＰＩによって本スキャンを行うと、図２Ａに示したように、得られた画像が歪んでしまうため、プリスキャンで得られた感度分布を用いても適切な輝度補正を行うことができず、出力画像の画質が低下してしまう場合があった。
【００８２】
そこで、本実施形態に係るＭＲＩシステムは、ＥＰＩによって得られた画像に対して、本実施形態に係る感度分布（例えば図７）を用いて輝度補正を行う。これにより、ＭＲＩシステムは、歪んだ画像に対して延長された感度分布を用いて輝度補正を行うこととなるので、適切に輝度補正を行うことができ、出力画像の画質を向上させることができる。
【００８３】
（ＥＰＩ以外への適用）
また、上記の説明では、ＭＲＩシステムがＥＰＩを用いた撮像を行う場合を説明したが、実施形態はこれに限定されるものではない。例えば、上記の問題は、ＥＰＩに限らず、傾斜磁場の極性が反転するようなパルスシーケンスが行われる場合にも生じうる。このため、実施形態に係るＭＲＩシステムは、ＥＰＩに限らず、傾斜磁場の極性が反転するようなパルスシーケンスが行われる場合に適用されても良い。
【００８４】
また、当業者には明らかなように、代わりに「正則化」処理を用いる場合は、マスクを生成又は使用しないことも可能である。
【００８５】
以上説明した少なくともひとつの実施形態によれば、出力画像の画質を向上させることができる。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
２２  ＭＲＩシステムコントローラ
３０  ＭＲＩシーケンスコントローラ
【図１】
2014236987.tif 000003
【図３】
2014236987.tif 000004
【図４】
2014236987.tif 000005
【図５Ａ】
2014236987.tif 000006
【図５Ｂ】
2014236987.tif 000007
【図５Ｃ】
2014236987.tif 000008
【図６Ａ】
2014236987.tif 000009
【図６Ｂ】
2014236987.tif 000010
【図７】
2014236987.tif 000011
【図８】
2014236987.tif 000012
【図９】
2014236987.tif 000013
【図１０】
2014236987.tif 000014
【図２Ａ】
2014236987.tif 000015
【図２Ｂ】
2014236987.tif 000016